(57)【要約】【課題】  集積回路装置や他の電子部品の搭載スペースを基板に充分に取りながらも、該基板を前扉背面側に容易に搭載し得るようにした遊技機を提供する。【解決手段】  スロットマシン１０は、筐体１１と、筐体１１に開閉可能に支持される前扉１２と、前扉１２に支持される液晶表示パネル１５と、液晶表示パネル１５の集積回路装置６２が実装された液晶制御基板６６と、液晶表示パネル１５の背面側に配置される回胴リール装置２７とを備えている。スロットマシン１０は更に、液晶表示パネル１５の背面側における回胴リール装置２７の上側にケース部材（７７、８２）を備える。このケース部材は、上側ほど液晶表示パネル１５の背面側に突出するように所定角度で傾斜する後部傾斜面７７ｄ、８２ｄを備え、液晶制御基板６６は、ケース部材の内方にて後部傾斜面８２ｄに沿って配置されている。【選択図】  図１０
2005124791.tif 000002
【特許請求の範囲】
【請求項１】
筐体と、該筐体に開閉可能に支持される前扉と、該前扉に支持される表示装置と、該表示装置用の集積回路装置が実装された基板と、前記表示装置の背面側に配置される回胴リール装置とを備えた遊技機において、
前記表示装置の背面側における前記回胴リール装置の上側にケース部材を備え、
前記ケース部材は、上側ほど前記表示装置の背面側に突出するように所定角度で傾斜する傾斜面を備え、
前記基板は、前記ケース部材の内方にて前記傾斜面に沿って配置されることを特徴とする遊技機。
【請求項２】
前記回胴リール装置に備えた回胴リールが、前記傾斜面側に接近して配置されてなる、
ことを特徴とする請求項１に記載の遊技機。
【発明の詳細な説明】
【技術分野】
【０００１】
本発明は、例えばスロットマシン等の遊技機に関し、特に液晶表示パネル等の表示装置を制御する集積回路装置を実装した基板の配置構造を改善し得る遊技機に関する。
【背景技術】
【０００２】
一般に、遊技機、例えばスロットマシンとして、複数種の絵柄からなるシンボルマークを円周方向に多数備えた横３列の回胴リールを、スタートレバー操作に基づき回転させた後、３個のストップボタンを夫々押圧操作することで、各ボタンに対応する回胴リールを順次停止させて、各回胴リールに備えたシンボルマークのうちの所定の絵柄同士が一致したときに当たりとなり、多数のコインがコイン受け皿に放出される構造のものが知られている。
【０００３】
上述のようなスロットマシンは、或る期間が経過すると、遊技者の目先を変える等の目的から新装等のイベントが実施されるが、新装に要する労力や費用を節減するため、スロットマシン全体を交換するのでなくその一部分のみを小規模に交換するようなことも行われている。
【０００４】
上述のようにスロットマシンそのものを交換しないで小規模な新装を実施する手法として、例えば前扉のみを交換するようにしたものが知られている。この手法によると、遊技者が直接触れ易い箇所や視界に入り易い箇所のみを交換することにより、外観的な変化を現出することができる。
【０００５】
ところで、近年、スロットマシンにおいては、液晶表示装置を搭載したものが主流となり、液晶表示装置による演出が遊技進行上極めて重要な要素となっているが、上述のように前扉のみを交換するような手法では、前扉を開閉自在に支持する筐体の奥側に配置される液晶表示装置用の制御回路までは交換できないため、重要な要素である液晶表示装置の表示内容まで変更することはできなかった。
【０００６】
つまり、上記従来の手法により新装のイベントを実施しようとする際には、筐体内に配置され、上記制御回路を含んだ主制御基板をも交換する必要があるが、主制御基板の交換をも含めると、新装イベント時の労力や費用節減の目的を達成することが困難になる。そこで、前面側から視認し得る液晶表示装置を制御する表示制御回路を、前扉背面に取り付けて構成し、上述した前扉のみの交換時に表示制御回路も交換できるようにしたスロットマシンが提案されている（例えば、特許文献１参照）。
【０００７】
【特許文献１】特開２００１−１７０２４９号公報（図６乃至図８参照）
【発明の開示】
【発明が解決しようとする課題】
【０００８】
ところで、特許文献１に記載された上記従来のスロットマシンにあっては、遊技に必要な各種部品等が前扉の背面側に多数配置されており、また回胴リール装置の回胴リールに対する視認性を高める目的から回胴リールが前扉側に近接して配置されている。
【０００９】
このため、特に前扉における回胴リール近傍は、部品搭載に関するスペース的な制約が多く、従って、表示機能の向上に対応して、より大型の表示制御回路等を採用しようとしても、その搭載には限界があった。
【００１０】
本発明はこうした従来の問題点に鑑みてなされたものであり、表示装置を制御する集積回路装置を実装する基板の配置構造を改善することにより、集積回路装置やこれに付随する他の電子部品の搭載スペースを充分に取った基板でありながらも、前扉の背面側に極めて容易に搭載し得るように構成した遊技機を提供することを目的とする。
【課題を解決するための手段】
【００１１】
請求項１に記載の発明は、筐体と、該筐体に開閉可能に支持される前扉と、該前扉に支持される表示装置と、該表示装置用の集積回路装置が実装された基板と、前記表示装置の背面側に配置される回胴リール装置とを備えた遊技機において、
前記表示装置の背面側における前記回胴リール装置の上側にケース部材を備え、
前記ケース部材は、上側ほど前記表示装置の背面側に突出するように所定角度で傾斜する傾斜面を備え、
前記基板は、前記ケース部材の内方にて前記傾斜面に沿って配置されることを特徴としている。
【００１２】
なお、本発明における「上側」という語句は、重力方向を「下側」とする一般的な概念に基づくもので、当該重力方向と逆の方向（上方）を意味している。
【００１３】
請求項２に記載の発明は、請求項１に記載の遊技機の発明において、前記回胴リール装置に備えた回胴リールが、前記傾斜面側に接近して配置されることを特徴としている。
【発明の効果】
【００１４】
請求項１に記載の発明によれば、表示装置の背面側における回胴リール装置の上側に備えたケース部材が、上側ほど表示装置の背面側に突出するように所定角度で傾斜する傾斜面を備え、基板が、ケース部材の内方にて傾斜面に沿って配置されるので、当該傾斜面を直角三角形の斜辺に相当すると考えるとき、鉛直方向に沿った面とされる場合に比してその面積が広くされる。このため、より広く形成された当該傾斜面に、よりサイズの大きな基板を配置することが可能になり、従って、集積回路装置や他の電子部品を、サイズ的にも性能的にもゆとりをもった形で基板に実装することができる。また、傾斜面が背面側に傾斜しているので、表示装置背面側の回胴リール装置に備える回胴リールを従前に比して大径にしながらも、前扉側に一層接近させることができる。
【００１５】
請求項２に記載の発明によれば、回胴リール装置に備えた回胴リールが傾斜面側に接近して配置されるので、遊技者側からの回胴リールに対する視認性をより向上させることができる。
【発明を実施するための最良の形態】
【００１６】
以下、本発明の遊技機の実施形態として、遊戯場等に設置されるスロットマシンについて図１乃至図１３を参照して説明する。
【００１７】
なお、図１は本スロットマシンの外部構造を概略的に示す斜視図、図２は本スロットマシンの内部構造を示す背面図、図３は図２に示した前扉内の一部を抜粋して示す背面図、図４は本スロットマシンに搭載された液晶表示パネル等の構造を概略的に示す側面断面図、図５は本スロットマシンの前部上方側を断面した状態で示す側面断面図、図６は液晶アッシー等の組合わせ構造を遊技者側から見た状態で示す斜視図、図７は図５の状態を遊技者と反対側から見た状態で示す斜視図、図８は筐体内の一部を拡大して示す一部断面した側面図、図９は液晶本体及び中パネルの背面側を示す側面断面図、図１０は第１制御カバー等を遊技者側から見た状態で示す分解斜視図、図１１は本実施形態における液晶組付け構造を一部変更した第１の変形例を示す斜視図、図１２は本実施形態における放熱構造を一部変更した第２の変形例を示す斜視図、図１３は図１２に示す放熱構造を前扉背面側から見た状態で示す背面図である。
【００１８】
本スロットマシン１０は、図１及び図２に示すように、筐体１１と、筐体１１の一側部に開閉自在に取り付けられて遊技者に面する前扉１２とを備えて構成されている。
【００１９】
前扉１２は、図１の上下方向における略中央部分に操作パネル１３を有し、操作パネル１３の上方及び下方に、液晶表示パネル１５及びメダル受け皿１６を夫々有している。液晶表示パネル１５の上方には、クレジット枚数、ベット（ＢＥＴ）枚数、及び払い出し状況等を表示するための遊技状態表示部１７が設けられている。上記操作パネル１３には、上面にベットボタン２０及びメダル投入部２１が配置され、前面にスタートレバー２２及び３個のストップボタン２３が配置されている。なお、同図において、透過窓１９から液晶表示パネル１５内方に見えるはずの回胴リール等は、便宜上図示を省略している。
【００２０】
また図２に示すように、前扉１２の背面側には、中央部分に、図１に示した液晶表示パネル１５の透過窓１９が配置され、この透過窓１９の上方に、透過窓１９側から順に冷極管４６、液晶アッシー３５、サブ基板アッシー３６、及び、図１の遊技状態表示部１７に対応する遊技状態表示基板３７が配置されている。そして、液晶アッシー３５の背面側に、冷極管４６用のインバータ４５が配置されている。透過窓１９の下方には、この透過窓１９側から順に、中央中継基板カバー５３、セレクタ３９、フローシュート４０、メダル口４１、及び演出用スピーカ４２が配置されており、上記フローシュート４０の同図右側にはインバータ４３が配置されている。
【００２１】
筐体１１の内方には、中央部分に回胴リール装置２７が設けられ、この回胴リール装置２７の上方に主基板２５が設けられ、回胴リール装置２７の下方にメダルホッパー３０、オーバーフロータンク３２、及び電源装置３３が設けられている。なお、図中の符号２６ａ、２６ｂは錠受け、符号３１はメダル出口を夫々示している。
【００２２】
また、横３列の回胴リール２７ａの外周面が透過窓１９の裏面側に対向し得るように配置されており、これら各回胴リール２７ａは、回転・停止して現出する図柄等が上記透過窓１９を通して遊技者側から明確に視認され得るようになっている。なお、上記透過窓１９は、回胴リール装置２７を外部から確実に保護できるように、透明な硬質プラスチック板などから構成される。
【００２３】
引き続き、図３に沿って、前扉１２の背面構造を詳細に説明する。すなわち、前扉１２は、上下方向の中央部分に透過窓１９を有し、この透過窓１９の同図左方に、複数本のハーネス（図示せず）を束ねた状態で支持する柔軟な合成樹脂製のハーネスクランプ５２を有している。比較的大型化された液晶表示パネル１５や集積回路装置６２に起因してその必要な配線数が増加していても、当該ハーネスクランプ５２によって、多数本のハーネスをコンパクトに結束した形で透過窓１９の一側部、つまり熱の影響を受け難い経路を通して配線することができると共に、組み立て時の煩雑さをも解消することができる。また、透過窓１９の上部には冷極管４６が配置され、且つ冷極管４６の更に上方には、液晶アッシー３５、サブ基板アッシー３６、及び遊技状態表示基板３７が順次配置されている。液晶アッシー３５の裏面側には液晶制御用のインバータ４５が配置されており、透過窓１９の下方には、中央中継基板カバー５３、ストップボタンアッシー５０、ベットボタンアッシー４７、スタートレバーアッシー４９、及びセレクタ３９が配置されている。
【００２４】
ここで、図４を参照して、液晶表示パネル等の構造を概略的に説明する。すなわち、液晶表示パネル１５は後述の液晶本体５７を有しており、この液晶本体５７は、図４に示すように、平板状の透過型カラー液晶ディスプレイＬＱＤと、透過型カラー液晶ディスプレイＬＱＤの裏面に密着して配置される透明な導光板ＴＰＢと、導光板ＴＰＢの上側に配置される冷極管４６と、導光板ＴＰＢの裏面に配置される反射板ＲＦＭとを備えて構成される。
【００２５】
カラー液晶ディスプレイＬＱＤは、互いに対向配置された透明な基板ＳＢ１、ＳＢ２、及び両基板ＳＢ１、ＳＢ２の間に充填された液晶ＬＱ等から構成されている。そして、基板ＳＢ１、ＳＢ２間に介在されるシール部材ＳＥＬによって上述の透過窓１９が画成されており、当該シール部材ＳＥＬにて画成された透過窓１９の内側領域には、液晶ＬＱは充填されていない。また反射板ＲＦＭは、透過窓１９の裏面で該透明窓１９を除く領域のみに設けられているので、液晶本体５７の透過窓１９が形成された領域は光の透過率が高く、映像を表示し得ない非表示領域となっている。つまり、当該液晶本体５７を有する液晶表示パネル１５は、回胴リール装置２７の前面全体に亘るように形成されたカラー液晶ディスプレイＬＱＤの中央部分が矩形状に液晶成分（ＬＱ）を排除された透過窓１９とされることにより、所謂ドーナツ状の液晶表示パネルとして構成されている。
【００２６】
次に、図５、図６及び図９を併せて参照し、液晶表示パネル（表示装置）１５及びその周辺の構造を、図５における左右方向及び図６における斜め左右方向を夫々本スロットマシン１０の前後方向として、具体的に説明する。
【００２７】
すなわち、図５及び図６に示すように、前扉１２に装着された液晶表示パネル１５は、前側から順に、中パネル５５と、液晶アッシーブラケット（取付けベース）５６と、液晶本体５７と、サブ基板アッシー３６等が搭載された液晶カバー本体７７とを有している。サブ基板アッシー３６は、図９に示すように、サブ基板ベース１０２上にてサブ基板カバー１０１内にサブ基板３６ａを収容して構成されるものであり、このサブ基板３６ａは、主基板２５（図８参照）内のマイクロプロセッサ（図示せず）から供給される演出制御信号に従って、演出用スピーカ４２及び演出用ランプ９６等を駆動することにより、遊技者の視覚に訴える演出表示を行う。
【００２８】
液晶アッシーブラケット５６は、前扉１２の上下方向略中央部に固定されており、上記中パネル５５を中央部分に嵌め込んだ形で支持している。更に、液晶アッシーブラケット５６の背面に、液晶本体５７が位置整合した形で固定されており、この状態において、液晶本体５７中央部の透過窓１９が前面を向いて位置している。
【００２９】
液晶カバー本体７７は、合成樹脂材料によって構成されており、金属製の第１制御カバー８２を内面側に備え、この第１制御カバー８２の内方に液晶制御基板６６等を備え、更に上部内面側に排気ファン８５を備えている。液晶制御基板６６には、半導体集積回路等からなる集積回路装置６２が実装され、また排気ファン８５は排気口６３（図６）に連通している。なお、カバー本体７７及び第１制御カバー８２によって、集積回路装置６２等を内包するケース部材が構成されている。
【００３０】
そして、液晶カバー本体７７は、全体的に上側ほど後方側（液晶表示パネル１５の背面側）に突出するように所定角度で傾斜する後部傾斜面７７ｄ（図７参照）を有している。そして、第１制御カバー８２は、液晶カバー本体７７内方にて上記後部傾斜面７７ｄと略同じ角度で傾斜、即ち全体的に上側ほど後方側に突出するように所定角度で傾斜する後部傾斜面８２ｄ（図７参照）を有している。
【００３１】
また、前扉１２の前部上方には、前扉１２前側から順に、フィーバーレンズ９３、反射板９５、演出用ランプ９６、及びランプ基板９７が配置されており、これらの後方における筐体１１内には、フック部材（第１係合部材）６７、フック受け部材（第２係合部材）６９、スライド丁番９９、及びサブ基板アッシー３６が配置されている。上記フック部材６７は、液晶アッシーブラケット５６の上部両端近傍に一対が設けられており、上記フック受け部材６９は、当該一対のフック部材６７に夫々対向し得るように、液晶カバー本体７７の上部両端近傍に一対が設けられている。更に、カバー本体７７上部における各フック受け部材６９の両側には、これらフック受け部材６９によって液晶アッシー３５をフック部材６７に引っ掛けた状態でこの液晶アッシー３５を前扉１２側に固定するためのブラケット５４が設けられている。各ブラケット５４は、固定用ネジ（図示せず）を挿通するための孔５４ａを有している。
【００３２】
また、上記液晶カバー本体７７の上面７７ｃには、サブ基板取付けブラケット（連結部材）５８が後方に向かって突出するように固定されており、該ブラケット５８にはその延在方向に沿うようにサブ基板アッシー３６が装着されている。つまり、サブ基板アッシー３６は、カバー本体７７が延びる鉛直方向と略直交する方向に延在するように、サブ基板取付けブラケット５８を介して支持されている。
【００３３】
なお、上記液晶本体５７と、サブ基板アッシー３６を有するカバー本体７７とにより、表示アッシーとしての液晶アッシー３５が構成されている。また、第１係合部材としてのフック部材６７と第２係合部材としてのフック受け部材６９とにより、これら両部材６７、６９を相対的に係合させた状態で液晶アッシー３５の重量を液晶アッシーブラケット５６に担持する仮止め手段が構成されている。
【００３４】
上記液晶アッシー３５は、カバー本体７７上部に備えた上記フック受け部材６９を、液晶アッシーブラケット５６の上部に備えた上記フック部材６７に引っ掛けた形で、カバー本体７７の周囲に設けられた複数のブラケット５４（図６参照）の孔５４ａに固定用ネジ（図示せず）を挿通し、且つ該ネジの先端を前扉１２裏面の対応する箇所に螺合させることによって固定される。
【００３５】
引き続き、図７に沿って、図６に示した構造をより詳細に説明する。図７は、図６の反対方向から見た状態で示す分解斜視図であり、液晶カバー本体７７からその内方の第１制御カバー８２を前方側に引き出した状態で示している。
【００３６】
すなわち、図７に示すように、前扉１２の前面中央部に装着される液晶カバー本体７７は、前方に引き出された状態で示される第１制御カバー８２を有している。この第１制御カバー８２のリール窓７９ａと液晶カバー本体７７のリール窓７９ｂとにより、リール窓７９が構成される。また第１制御カバー８２は、リール窓７９ａの上部側に収容部８２ａを有し、この収容部８２ａの上面８２ｅに排気口６３を有している。収容部８２ａは、液晶表示パネル１５の背面側における回胴リール装置２７の上側に突出する突出部分であり、種々の部品を収容し得るように側面視略逆三角形状に構成されている。またカバー本体７７は、液晶表示パネル１５の背面側における回胴リール装置２７の上側に突出する突出部分として、収容部８２ａを収容し得る側面視略逆三角形状を呈する収容部７７ａを上部側に有している。これら収容部８２ａ、７７ａは、筐体１１の上部内面に対して略平行な上面８２ｅ及び上面７７ｃを夫々有すると共に、鉛直方向（図９の上下方向）に対して若干後方に傾斜する形状の後部傾斜面８２ｄ及び７７ｄを夫々有している。
【００３７】
収容部７７ａの上面７７ｃにおける一対のサブ基板取付けブラケット５８に夫々対応する位置には、上述のフック受け部材６９が連結されている。液晶カバー本体７７のリール窓７９ｂの上部には冷極管４６が設けられ、且つ液晶カバー本体７７の幅方向に一側（図の左部分）にはインバータ４５が設けられている。液晶カバー本体７７の後部下方には中央中継基板７６が配置され、該中央中継基板７６の上記インバータ４５の近傍には設定ボタン７５が配置されている。これら設定ボタン７５を含む中央中継基板７６の後方を覆うように、中央中継基板カバー５３が設けられている。
【００３８】
ついで、図７に図８を併せて参照し、本スロットマシン１０の筐体１１内のスペースを有効利用してサブ基板アッシー３６等を配置した構造について説明する。
【００３９】
同図に示すように、筐体１１の後部壁面における上方部分に主基板２５が装備されており、この主基板２５の前部下方に、回胴リール２７ａを有する回胴リール装置２７が配置され、且つ回胴リール装置２７の上部にリール制御基板１００が配置されている。また、カバー本体７７の上部にて後方（図８の右側）に突出するサブ基板取付けブラケット５８には、筐体１１の内部上面と略平行する形でサブ基板アッシー３６が取り付けられている。
【００４０】
ところで、図５及び図８を併せて参照すると理解できるように、回胴リール装置２７の側面視円形状の回胴リール２７ａを液晶表示パネル１５の透過窓１９（図１参照）に対して可及的に近接させる場合、カバー本体７７と、筐体１１内の回胴リール装置２７上部とで挟まれたスペースＳに余裕がなくなって、本実施形態において比較的大型化されているサブ基板アッシー３６を収容することが困難になることが予想される。しかし、本実施形態にあっては、サブ基板アッシー３６を、回胴リール装置２７上の比較的狭いスペースＳを有効に利用した形で余裕を持って収容している。
【００４１】
すなわち、本実施形態では、上記スペースＳを有効利用するために、カバー本体７７の収容部７７ａの上面７７ｃが筐体１１の上部内面に対して略平行を維持するように形成されており、この形状の上面７７ｃに、一対のサブ基板取付けブラケット５８が固定されている。これにより、当該一対のブラケット５８は、図５から理解できるように、前扉１２の傾斜に準じて後部下方に若干傾斜した形で延びるものの、筐体１１の上部内面に略平行な状態で、回胴リール装置２７の上方を後方に向かって突出するように配置される。
【００４２】
従来のスロットマシン等では、筐体内の回胴リール装置を収容するスペ−スが、回胴リールが側面視円形状にされている関係上、サブ基板アッシーの収容スペースをより考慮しなければならないものであった。このため、特に本実施形態におけるサブ基板アッシー３６のように、機能向上などにより従来タイプに比して大型化されたものの配置にあっては、上記従来タイプの狭いスペースでは収容が困難になる。しかし、本実施形態における配置構造によると、サブ基板取付けブラケット５８上に装着されるサブ基板アッシー３６がサブ基板取付けブラケット５８と同様に筐体１１上部内面と略平行な状態で後方に延設されるので、サブ基板アッシー３６の配置に余裕をもたせることができる。しかも、当該サブ基板アッシー３６は、図２、図６及び図７から理解できるように、直方体状に構成され且つその長尺の縁部（つまり長辺）を前扉１２の幅方向（つまり図２の左右方向）に沿わせた形で支持されるので、筐体１１の前後方向での突出量が抑えられ、スペースＳの一層の有効利用が図られる。
【００４３】
次に、図９及び図１０を併せて参照し、本スロットマシン１０に備えた液晶制御基板６６に対する放熱を有効に実施できる放熱構造について説明する。図９は、図５の状態を例えば前扉１２の反対側から見て、図５と異なる箇所で縦方向（図９の上下方向）に断面した状態を示す側面断面図である。また図１０は、第１制御カバー８２の内方に収容した部品を分解した状態で示す斜視図である。
【００４４】
すなわち、図９に示すように、カバー本体７７の収容部７７ａの内方には、第１制御カバー８２が該収容部７７ａの内面に密着するように収容されている。そして、第１制御カバー８２の内方における後部傾斜面８２ｄには、該後部傾斜面８２ｄから突出するリブ等の所定手段を介して液晶制御基板６６が装着されている。この液晶制御基板６６は、図１０に示すように、サイズの異なる液晶制御基板６６ａ、６６ｂから構成されている。なお、図９中の符号１０６は液晶制御基板６６の裏面に配設されたコネクタ、符号８５は排気ファンを夫々示している。
【００４５】
上述のようにして第１制御カバー８２の後部傾斜面８２ｄに沿って収容配置されたチップ状の液晶制御基板６６の前面には、金属製の第２制御カバー（金属板部材）８３が所定状態を維持するようにして装着される。この第２制御カバー８３は、第１制御カバー８２の排気口６４に対向し得る位置に切欠き部８３ｃを有すると共に、集積回路装置６２に対向する位置に密接面８３ｂを有しており、この密接面８３ｂの前面側（図９の右側）にはヒートシンク６５が密着した形で装着されている。集積回路装置６２は、サイズ及び機能の異なる集積回路装置６２ａ、６２ｂから構成されている。またヒートシンク６５は、これら集積回路装置６２ａ、６２ｂに密接面８３ｂを介して夫々接し得る、同じサイズ及び個数の放熱フィンを有する２個のヒートシンク６５ａ、６５ｂから構成されている。
【００４６】
ヒートシンク６５ａ、６５ｂは、第２制御カバー８３の密接面８３ｂを介して集積回路装置６２ａ、６２ｂに夫々に密着し、これら集積回路装置６２ａ、６２ｂの動作時に発生し密接面８３ｂを経由して伝達される熱を周囲の空気に放射して冷却する機能を有する金属部品である。通常、ヒートシンクは、集積回路装置６２が実装された液晶制御基板６６側に装着されるものであるが、その場合には、液晶制御基板６６にヒートシンクを無理に固定するようなことも考えられ、当該基板６６に亀裂が入って破損する等の不都合を招く虞がある。しかし、本実施形態における上述のヒートシンク６５の配置構造によると、このような不都合の発生を確実に防止することができる。
【００４７】
また、図９と図１０を併せて参照すると理解できるように、第１制御カバー８２の後部傾斜面８２ｄは、収容部８２ａを直角三角形に例えるとその斜辺に相当することから、鉛直方向（図９の上下方向）に沿って面が形成される場合に比してその面積が広くされる。従って、カバー本体７７及び第１制御カバー８２からなるケース部材の内方にて、よりサイズの大きな液晶制御基板６６が、一層広く形成された上記後部傾斜面８２ｄに沿って配置されるので、液晶制御基板６６に実装する集積回路装置６２や他の電子部品も、サイズ的にも性能的にもゆとりをもたせて実装することができる。また、後部傾斜面８２ｄ及び後部傾斜面７７ｄが、鉛直線に沿って上方に向かうほど後方側に傾斜する形状を有することにより、これら傾斜面８２ｄ、７７ｄの後方下部に配置される回胴リール装置２７の回胴リール２７ａの外径（リール径）を従前に比して大きくしながらも、前扉１２前面側（つまり、透過窓１９側）に一層接近させることができる。これにより、遊技者側からの回胴リール２７ａに対する視認性をより向上させることができる。なお、筐体１１及びその他の部品のサイズにも依るが、後部傾斜面８２ｄ及び後部傾斜面７７ｄ夫々の傾斜角度θは、例えば１０°から３０°の範囲内に設定されることが好ましい。
【００４８】
また、第２制御カバー８３の上面には排気口６３が形成されており、ヒートシンク６５の図１０における右方には、インバータ基板９０及びノイズ防止板９１ａ、９０ｂが配置されている。
【００４９】
引き続き、図９及び図１０に沿って、上述の放熱構造をより詳細に説明する。すなわち、当該放熱構造では、ヒートシンク６５を上下方向の中心に位置させた形で、上方に排気口６３を、下方に吸気口８９を夫々配置して、全体としてこれら吸気口８９、ヒートシンク６５及び排気口６４を上下方向（つまり鉛直方向）にて一直線状に配列している。
【００５０】
図１０に示すように、第１制御カバー８２の上面８２ｅには、その内面側に設けられる排気ファン８５に対向する位置に上記排気口６３が形成され、且つ収容部８２ａにおける該排気口６３に対向する位置に吸気口８９が形成されている。そして、これら排気口６３と吸気口８９とを一直線状に繋ぐ上下方向の経路上に、上記集積回路装置６２及びヒートシンク６５が配置されている。
【００５１】
この構造によると、ヒートシンク６５を中間に位置させて一直線状に並ぶ排気口６３及び吸気口８９を夫々備えると共に、排気口６３に対向する排気ファン８５を備えるので、吸気口８９からヒートシンク６５を経由して排気ファン８５に向かって空気を円滑に流通させ得る空気流通路を実現でき、吸気口６３から吸引した空気の流れを拡散させることなくヒートシンク６５に直接的に当てて、集積回路装置６２からヒートシンク６５に伝達された熱を効果的に排気口６３から排出し、集積回路装置６２を良好に冷却することができる。
【００５２】
すなわち、排気ファン８５の作動時に、吸気口８９から吸引された空気がヒートシンク６５を経由してその放熱フィンの熱を吸収しながら、上方に位置する排気口６４から外方へ（つまり、筐体１１の内部空間へ）排気される。この際の空気の流通経路は、吸気口８９から吸気されてヒートシンク６５に対して直接的に供給されつつ、該ヒートシンク６５から吸収した熱を帯びた状態で、その上方に位置する排気口６４から効率良く排気される。その結果、集積回路装置６２は極めて効率良く冷却されることとなり、従って、近年の比較的大型の集積回路装置に対する適切な放熱効果が期待できる放熱構造が得られる。
【００５３】
以上の構成を有する本スロットマシン１０は、以下に示すように機能する。ここでは、前扉１２に液晶表示パネル１５を組付ける工程を中心に説明する。
【００５４】
すなわち、組付け工程に先立って、前扉１２の前面に、中パネル５５を組付けた形の液晶アッシーブラケット５６を固定し、当該ブラケット５６の上部に備えた一対のフック部材６７が後方に突出する状態にしておく。そして、オペレータが、液晶本体５７及びカバー本体７７等を予め組付けた液晶アッシー３５とした状態で、液晶アッシー３５の上方に突出する形の一対のフック受け部材６９を目視によりフック部材６７に引っ掛けて係合させて、液晶アッシー３５から手を離す。
【００５５】
これにより、液晶アッシー３５の重量が全てフック部材６７を介して液晶アッシーブラケット５６側に担持され、当該液晶アッシー３５が液晶アッシーブラケット５６を介して前扉１２に対し吊り下げられた状態になる。従って、オペレータは、従来のように液晶表示装置を抱えながら前扉に固定するような無理な姿勢の作業を強いられることなく、極めて楽な姿勢にて作業を進めることができ、液晶アッシー３５におけるフック受け部材６９の周囲のブラケット５４を介して固定用ネジを前扉１２側に螺合させることで、フック部材６７及びフック受け部材６９により仮止めした形の液晶アッシー３５を前扉１２側に正規に固定することができる。
【００５６】
上述のように、フック部材６７及びフック受け部材６９を相対的に係合させた状態で液晶アッシー３５の重量を、予め前扉１２に装着した液晶アッシーブラケット５６側に担持することができるので、例えば、液晶アッシー３５側のフック受け部材６９を液晶アッシーブラケット５６側のフック部材６７に単に引っ掛けるだけの手順で、液晶アッシー３５を抱え込むような無理な姿勢による作業が不要となる。従って、液晶表示パネル１５の組付け作業を、無理な姿勢を強いることなく極めて楽な姿勢で実施できるので、誤って液晶表示パネル１５を落下させて損傷させる等の不都合の発生を確実に防止し、作業効率を大幅に向上させることができる。
【００５７】
また、液晶制御基板６６に実装された集積回路装置６２及び他の電子部品が、カバー本体７７の内面側において金属製の第２制御カバー８３によって被覆され、且つ集積回路装置６２の前面が密接面８３ｂに密接しているので、集積回路装置６２等に対するノイズ防止効果も期待することができ、内外のノイズに強い構造を備えたスロットマシン１０を実現することができる。
【００５８】
ついで、図１１に沿って、本実施の形態を一部変更した第１の変形例について説明する。本変形例は、先に説明した本実施形態の構成に比し、フック受け部材６９の形状を把手状に変更した点のみが異なるが、他の構成は同様であるので、共通の部分には同じ符号を付してその説明を省略する。
【００５９】
すなわち、本変形例では、液晶アッシーブラケット５６側に設けられた一対のフック部材６７は先の実施形態の場合と同一であるが、図１１に示すように、液晶アッシー３５側に具備すべきフック受け部材が、一対のフック部材６７の双方に亘り、該フック部材６７に係合可能で且つ把持可能な鉤状のフック受け部材９２として構成される。このフック受け部材９２は、把持可能な長尺ハンドル形状を有する把持部９２ｂと、該把持部９２ｂの長手方向両端に位置して液晶アッシー３５に固定されるべき一対のブラケット部（被固定部）９２ａとを備えている。このフック受け部材９２は、フック部材６７に対する係合時、両端部が一対のフック部材６７に夫々引っ掛かるように位置決めして係合させられ、その状態で、液晶アッシー３５の重量を担持する。この作業時、オペレータは、液晶アッシー３５を楽に把持して運搬することができ、運搬した液晶アッシー３５を効率良く組付け作業することができるので、運搬性と共に作業効率をも向上させることができる。
【００６０】
またフック受け部材９２は、一対のブラケット部９２ａに形成された孔に、固定用のボルト９４が挿通され、このボルト９４を介して、カバー本体７７側に固定されるように構成される。つまり、カバー本体７７側では、各ブラケット部９２ａの孔に対応する位置に貫通孔を有している。この貫通孔は、表面側のカバー本体（合成樹脂層）７７、及びその内方側の第１制御カバー（金属層）８２の双方を上下方向に貫通して形成されるもので、ブラケット部９２ａの孔を上記貫通孔に対面させた状態で、該貫通孔にブラケット部９２ａ側からボルト９４を貫通させ、第１制御カバー８２の内面側からナット９８を螺合させることで、フック受け部材９２をカバー本体７７側に堅固に取り付けることができる。
【００６１】
上記構成を有する本変形例によれば、ボルト９４及びナット９８を介して、フック受け部材９２両端部のブラケット部９２ａを、カバー本体７７側において最も強度の高い第１制御カバー８２に直接に固定できるので、フック受け部材９２の支持構造の剛性を高め、仮止め時に担持する液晶アッシー３５の重量に対する強度をより高めて、破損の虞を極めて低減させた液晶アッシー組付け構造を実現できる。
【００６２】
ついで、図１２に沿って、上述した図９における放熱構造をやや変更した第２の変形例について説明する。
【００６３】
すなわち、図１２に示すように、筐体１１の前面に位置する前扉１２の一側部（右側壁）の上方の適宜位置には、ダクト穴（開口）１０７が開口している。このダクト穴１０７は、図１３に示すように、排気口６３の下方において対向する位置（例えば、透過窓１９の上部）まで延びるダクト１０９及びその開口部１０９ａを介して、図９の吸気口８９の位置に連通している。本第２の変形例の場合、上記開口部１０９ａが、先の実施形態における吸気口８９を構成している。なお本変形例では、ダクト穴１０７が前扉１２の一側部に形成されているが、これに限らず、筐体１１側にダクト穴１０７を形成しても良いことは勿論である。
【００６４】
本変形例の上記構成によると、開口部（吸気口）１０９ａが筐体１１又は前扉１２のいずれかに形成されたダクト穴１０７にダクト１０９を介して連通しているので、例えば、吸気口が液晶表示パネル１５を照明する冷極管４６等の近傍に位置するような場合でも、熱発生源である当該冷極管４６で発生する熱を吸収した空気をヒートシンク６５側に導入することなく、ダクト１０９を介して外気をヒートシンク６５に直接的に導くことができる。即ち、筐体１１外方の空気をダクト穴１０７から図１３の矢印Ａで示す経路で流入させて、開口部１０９ａと排気口６３との間に位置するヒートシンク６５を外気にて直接的に冷却することができるので、熱発生源が存在しないエリアからの空気を吸引し、この空気によってヒートシンク６５をより効率良く放熱・冷却して、液晶制御基板６６への放熱効率をより向上させることができる。
【産業上の利用可能性】
【００６５】
本発明に係る遊技機は、液晶表示装置用の集積回路装置を実装した基板を前扉背面側に装着する構造の遊技機に用いて有用であり、特に搭載する基板のサイズ的な制約を小さくする必要がある遊技機に適している。
【図面の簡単な説明】
【００６６】
【図１】本発明の実施形態に係るスロットマシンの外観構造を示す斜視図である。
【図２】本スロットマシンの内部構造を示す背面図である。
【図３】図２に示した前扉内の一部を抜粋して示す背面図である。
【図４】本スロットマシンに搭載された液晶表示パネル等の構造を概略的に示す側面断面図である。
【図５】本スロットマシンの前部上方側を断面した状態で示す側面断面図である。
【図６】液晶アッシー等の組合わせ構造を遊技者側から見た状態で示す斜視図である。
【図７】図６の状態を遊技者と反対側から見た状態で示す斜視図である。
【図８】筐体内の一部を拡大して示す一部断面した側面図である。
【図９】液晶本体及び中パネルの背面側を示す側面断面図である。
【図１０】第１制御カバー等を遊技者側から見た状態で示す分解斜視図である。
【図１１】本実施形態における液晶組付け構造を一部変更した第１の変形例を示す斜視図である。
【図１２】本実施形態における放熱構造を一部変更した第２の変形例を示す斜視図である。
【図１３】図１２に示す放熱構造を前扉背面側から見た状態で示す背面図である。
【符号の説明】
【００６７】
１０…スロットマシン（遊技機）
１１…筐体
１２…前扉
１５…液晶表示パネル（表示装置）
１９…透過窓
２７…回胴リール装置
２７ａ…回胴リール
６２、６２ａ、６２ｂ…集積回路装置
６６、６６ａ、６６ｂ…液晶制御基板（基板）
７７…カバー本体
７７ｄ…後部傾斜面
８２…第１制御カバー
８２ｄ…後部傾斜面
【図１】
2005124791.tif 000003
【図２】
2005124791.tif 000004
【図３】
2005124791.tif 000005
【図４】
2005124791.tif 000006
【図５】
2005124791.tif 000007
【図６】
2005124791.tif 000008
【図７】
2005124791.tif 000009
【図８】
2005124791.tif 000010
【図９】
2005124791.tif 000011
【図１０】
2005124791.tif 000012
【図１１】
2005124791.tif 000013
【図１２】
2005124791.tif 000014
【図１３】
2005124791.tif 000015